(57)【要約】【目的】  本発明は、アレルギー性の肌の人に対して優しく、アトピー性皮膚炎などにも良好な効果を奏し、さらには、しみ、そばかす、色素沈着などにも効果的である、固形豆乳石鹸及びその製造法を確立すること目的とする。【構成】  ココナッツオイル等の植物性食用油６０〜７０重量％と、ステアリン酸１〜３重量％と、水酸化ナトリウム８〜１０重量％と、精製水９〜１２重量％と、豆乳１２〜１５重量％とからなること。これらが適宜混合攪拌された溶液が型に流し込められ熟成乾燥され製造されてなること。【特許請求の範囲】
【請求項１】
ココナッツオイル等の植物性食用油６０〜７０重量％と、ステアリン酸１〜３重量％と、水酸化ナトリウム８〜１０重量％と、精製水９〜１２重量％と、豆乳１２〜１５重量％とからなり、これらが適宜混合攪拌された溶液が型に流し込められ熟成乾燥され製造されてなることを特徴とする固形豆乳石鹸。
【請求項２】
ココナッツオイル等の植物性食用油６０〜７０重量％と、ステアリン酸１〜３重量％と、水酸化ナトリウム８〜１０重量％と、精製水９〜１２重量％と、豆乳１２〜１５重量％と、松ポリフェノール０．０３〜０．０６重量％とからなり、これらが適宜混合攪拌された溶液が型に流し込められ熟成乾燥され製造されてなることを特徴とする固形豆乳石鹸。
【請求項３】
ココナッツオイル等の植物性食用油６０〜７０重量％と、ステアリン酸１〜３重量％と、水酸化ナトリウム８〜１０重量％と、精製水９〜１２重量％と、豆乳１２〜１５重量％と、ラベンダー０．２〜０．４重量％とからなり、これらが適宜混合攪拌された溶液が型に流し込められ熟成乾燥され製造されてなることを特徴とする固形豆乳石鹸。
【請求項４】
ココナッツオイル等の植物性食用油６０〜７０重量％に、ステアリン酸１〜３重量％を７０度以上で２分から５分溶かした後、４０〜５０度までの同温度で水酸化ナトリウム８〜１０重量％と精製水９〜１２重量％を１５〜２０分程度混ぜ合わせ攪拌し、その後、豆乳１２〜１５重量％を加え５０分から６０分程度混合して攪拌し、これらの液体を型に流し込み放置して１５時間〜６５時間程度で熟成させ、３週間から７週間かけて乾燥させて製造することを特徴とする固形豆乳石鹸の製造法。
【請求項５】
ココナッツオイル等の植物性食用油６０〜７０重量％に、ステアリン酸１〜３重量％を７０度以上で２分から５分溶かした後、４０〜５０度までの同温度で水酸化ナトリウム８〜１０重量％と精製水９〜１２重量％を１５〜２０分程度混ぜ合わせ攪拌し、その後、豆乳１２〜１５重量％を加え５０分から６０分程度混合して攪拌し、そして松ポリフェノール（松樹皮エキス）０．０３〜０．０６重量％を溶かし合わせ加える。これらの液体を型に流し込み放置して１５時間〜６５時間程度で熟成させ、３週間から７週間かけて乾燥させて製造することを特徴とする固形豆乳石鹸の製造法。
【請求項６】
ココナッツオイル等の植物性食用油６０〜７０重量％に、ステアリン酸１〜３重量％を７０度以上で２分から５分溶かした後、４０〜５０度までの同温度で水酸化ナトリウム８〜１０重量％と精製水９〜１２重量％を１５〜２０分程度混ぜ合わせ攪拌し、その後、豆乳１２〜１５重量％を加え５０分から６０分程度混合して攪拌し、そして０．２〜０．４重量％のラベンダーを加えて攪拌し、これらの液体を型に流し込み放置して１５時間〜６５時間程度で熟成させ、３週間から７週間かけて乾燥させて製造することを特徴とする固形豆乳石鹸の製造法。
【発明の詳細な説明】
【技術分野】
【０００１】
本発明は、アレルギー性の肌の人に対して優しく、アトピー性皮膚炎などにも良好な効果を奏し、さらには、しみ、そばかす、色素沈着などにも効果的である、固形豆乳石鹸及びその製造法に関する。
【背景技術】
【０００２】
近年、人が使用するあらゆる物に対して地球環境を考えた健康志向が求められている。その石鹸は、合成界面活性剤や防腐材、着色料、香料の使用により、アレルギー性の肌の人のアトピー性皮膚炎に影響を及ぼすなどの問題が生じている。このため、石鹸でも、合成界面活性剤や防腐材、着色料、香料などを使わないようにすることを求められている。
【特許文献１】特許第２６４０８０８号公報
【発明の開示】
【発明が解決しようとする課題】
【０００３】
特許文献１では、アレルギー性の肌の人に対して確実な効果が認められなかった。このため、本発明が解決しようとする課題（技術的課題又は目的等）は、アレルギー性の肌の人に対して優しく、アトピー性皮膚炎などにも良好な効果を奏し、さらには、しみ、そばかす、色素沈着などにも効果的である、固形豆乳石鹸及びその製造法を確立することにある。
【課題を解決するための手段】
【０００４】
そこで、発明者は、上記課題を解決すべく鋭意，研究を重ねた結果、請求項１の発明を、ココナッツオイル等の植物性食用油６０〜７０重量％と、ステアリン酸１〜３重量％と、水酸化ナトリウム８〜１０重量％と、精製水９〜１２重量％と、豆乳１２〜１５重量％とからなり、これらが適宜混合攪拌された溶液が型に流し込められ熟成乾燥され製造されてなることを特徴とする固形豆乳石鹸としたことにより、前記課題を解決した。
【０００５】
また、請求項２の発明を、ココナッツオイル等の植物性食用油６０〜７０重量％と、ステアリン酸１〜３重量％と、水酸化ナトリウム８〜１０重量％と、精製水９〜１２重量％と、豆乳１２〜１５重量％と、松ポリフェノール０．０３〜０．０６重量％とからなり、これらが適宜混合攪拌された溶液が型に流し込められ熟成乾燥され製造されてなることを特徴とする固形豆乳石鹸としたことにより、前記課題を解決した。
【０００６】
また、請求項３の発明を、ココナッツオイル等の植物性食用油６０〜７０重量％と、ステアリン酸１〜３重量％と、水酸化ナトリウム８〜１０重量％と、精製水９〜１２重量％と、豆乳１２〜１５重量％と、ラベンダー０．２〜０．４重量％とからなり、これらが適宜混合攪拌された溶液が型に流し込められ熟成乾燥され製造されてなることを特徴とする固形豆乳石鹸としたことにより、前記課題を解決した。
【０００７】
また、請求項４の発明を、ココナッツオイル等の植物性食用油６０〜７０重量％に、ステアリン酸１〜３重量％を７０度以上で２分から５分溶かした後、４０〜５０度までの同温度で水酸化ナトリウム８〜１０重量％と精製水９〜１２重量％を１５〜２０分程度混ぜ合わせ攪拌し、その後、豆乳１２〜１５重量％を加え５０分から６０分程度混合して攪拌し、これらの液体を型に流し込み放置して１５時間〜６５時間程度で熟成させ、３週間から７週間かけて乾燥させて製造することを特徴とする固形豆乳石鹸の製造法としたことにより、前記課題を解決した。
【０００８】
また、請求項５の発明を、ココナッツオイル等の植物性食用油６０〜７０重量％に、ステアリン酸１〜３重量％を７０度以上で２分から５分溶かした後、４０〜５０度までの同温度で水酸化ナトリウム８〜１０重量％と精製水９〜１２重量％を１５〜２０分程度混ぜ合わせ攪拌し、その後、豆乳１２〜１５重量％を加え５０分から６０分程度混合して攪拌し、そして松ポリフェノール（松樹皮エキス）０．０３〜０．０６重量％を溶かし合わせ加える。これらの液体を型に流し込み放置して１５時間〜６５時間程度で熟成させ、３週間から７週間かけて乾燥させて製造することを特徴とする固形豆乳石鹸の製造法としたことにより、前記課題を解決した。
【０００９】
また、請求項６の発明を、ココナッツオイル等の植物性食用油６０〜７０重量％に、ステアリン酸１〜３重量％を７０度以上で２分から５分溶かした後、４０〜５０度までの同温度で水酸化ナトリウム８〜１０重量％と精製水９〜１２重量％を１５〜２０分程度混ぜ合わせ攪拌し、その後、豆乳１２〜１５重量％を加え５０分から６０分程度混合して攪拌し、そして０．２〜０．４重量％のラベンダーを加えて攪拌し、これらの液体を型に流し込み放置して１５時間〜６５時間程度で熟成させ、３週間から７週間かけて乾燥させて製造することを特徴とする固形豆乳石鹸の製造法としたことにより、前記課題を解決したものである。
【発明の効果】
【００１０】
請求項１の発明においては、特に、豆乳成分の存在により、豆乳本来の成分が発揮され肌を保護し、しっとり、滑らかさを保ち、保湿力に優れ、紫外線によるしみ、長年化粧による沈着しみ、そばかすを取り、肌あれを防止するという効果を発揮しうる。請求項２の発明においては、松ポリフェノール（松樹皮エキス）の存在により、紫外線から皮膚を守り、美白効果、肌の弱い方にも安心して使えうるものである。さらに、請求項１と同様の効果を奏する。
【００１１】
また、請求項３の発明においては、ハーブの存在により、抗菌、痛んだ髪などの修復、天然の香料がリラックス効果を生ぜしめる固形豆乳石鹸を提供できる利点がある。この発明でも、請求項１と同様の効果を奏する。また、請求項４の発明においては、簡易な製造法にて優れた固形豆乳石鹸を提供できる。請求項５及び６の発明においては、請求項４の発明と同様の効果を奏する。
【発明を実施するための最良の形態】
【００１２】
本発明の第１実施形態としては、固形豆乳石鹸である。まず、該固形豆乳石鹸は、ココナッツオイル等の植物性食用油と、ステアリン酸と、水酸化ナトリウムと、精製水と、豆乳とから構成されている。これらの溶液が型に流し込まれて熟成され乾燥されて製造されるものである。
【００１３】
さらに、具体的には、ココナッツオイル等の植物性食用油６０〜７０重量％と、ステアリン酸１〜３重量％と、水酸化ナトリウム８〜１０重量％と、精製水９〜１２重量％と、豆乳１２〜１５重量％とからなり、これらが適宜混合攪拌された溶液が型に流し込められ熟成乾燥され製造されてなる固形豆乳石鹸である。
【００１４】
前記植物性食用油は、オリーブオイルと、ココナッツオイル（やし油）と、パームオイルとから構成されている。前記オリーブオイルは、天然の保湿成分、潤いを保つスクワレンを含んでいる。洗浄成分であるグリセリンも多く含むので、水分を肌に引き付けながら洗浄力に優れる。油を構成している脂肪酸という成分のうち８０％前後もが人の肌に馴染みやすいオレイン酸、ビタミン類、ミネラルなどの天然美容成分が豊富である。
【００１５】
前記ココナッツオイル（やし油）は、ココヤシの果肉を乾かしたコプラから絞られた油である。ラウリン酸とミリスチン酸を多く含むので、大きな起泡力があり、泡立ちの良い石鹸を製造したいときには、欠かせない油である。また、前記パームオイルは、溶けくずれの少ない硬い石鹸にする油であって、アブラヤシの真っ赤な果肉を絞ったものであり、植物性である。
【００１６】
前記ステアリン酸は、植物油脂であって、石鹸を固く仕上げる役割をなす。前記豆乳は、国産大豆１００％を使用することが好ましいが、これに限定されない。豆乳には女性ホルモンのエストロゲンに似た成分が含まれているので、のぼせ、ほてり、めまい等の症状緩和に効果がある。肌あれ、吹き出物を防ぐ、血行を良くする、ホルモンの分泌を促進するなど、豆乳には健康な肌を保つための要素がぎっしり詰まっている。
【００１７】
さらに、豆乳は、肌をきれいにするためでなくムダ毛の解消にも効果的である。肌につけるとだんだんムダ毛が目立たなくなってくる効果もある。豆乳の元になる大豆に含まれる栄養素として大豆たんぱく、大豆イソフラボン、サポニン、大豆レシチン、リノール酸、オリゴ酸、ビタミンＢ郡、ビタミンＥ，ミネラル類が豊富に含まれている。しみが薄くなるといった美白効果も奏する。
【００１８】
このような第１実施形態の固形豆乳石鹸の製造法について説明する。まず、ココナッツオイル等の植物性食用油６０〜７０重量％とする。好ましくは、植物性食用油６５重量％前後とする。そして、ステアリン酸１〜３重量％（好ましくは、１．５重量％前後）を７０度以上で２分から５分溶かす。
【００１９】
その後、４０〜５０度までの同温度で水酸化ナトリウム８〜１０重量％と精製水９〜１２重量％を１５〜２０分程度混ぜ合わせ攪拌する。その後、豆乳１２〜１５重量％を加え５０分から６０分程度混合して攪拌する。これらの液体を、固形石鹸を製造する型に流し込み放置して１５〜６５時間程度（好ましくは、２４〜４８時間程度）で熟成させる。そして最後に、３〜７週間（好ましくは、５週間前後）かけて乾燥させ、そして固形化した石鹸を型から取り出し、適宜の大きさにカットして固形豆乳石鹸として製造するものである。
【００２０】
次に、本発明の第２実施形態としての、ポリフェノール入りの固形豆乳石鹸である。まず、該固形豆乳石鹸は、ココナッツオイル等の植物性食用油と、ステアリン酸と、水酸化ナトリウムと、精製水と、豆乳と、松ポリフェノール（松樹皮エキス）とから構成されている。これらの溶液が型に流し込まれて熟成させ乾燥させて製造するものである。
【００２１】
さらに、具体的には、ココナッツオイル等の植物性食用油６０〜７０重量％と、ステアリン酸１〜３重量％と、水酸化ナトリウム８〜１０重量％と、精製水９〜１２重量％と、豆乳１２〜１５重量％と、松ポリフェノール０．０３〜０．０６重量％とからなり、これらが適宜混合攪拌された溶液が型に流し込められ熟成乾燥され製造されてなることを特徴とする固形豆乳石鹸である。
【００２２】
前記松ポリフェノール（松樹皮エキス）は、多種多様なポリフェノール、フラボノイドなどの天然成分が凝縮している。活性酸素を抑え、老化防止、美白効果、アトピー性皮膚炎、アレルギー性鼻炎、妊娠中にほとんどの女性が経験する皮膚の掻痒感、湿疹、更年期から老年期におこるホルモンの消退によっておこるほてり、かゆみなどの不快症状などにも効果がある。抗酸化作用、肌の再生を助ける作用をなす。
【００２３】
このような第２実施形態の固形豆乳石鹸（ポリフェノール入り）の製造法は、前記第１実施形態の製造法と同様に行う。すなわち、ココナッツオイル等の植物性食用油６０〜７０重量％とする。好ましくは、植物性食用油６５重量％前後とし、ステアリン酸１〜３重量％（好ましくは、１．５重量％前後）を７０度以上で２分から５分溶かす。
【００２４】
その後、４０〜５０度までの同温度で水酸化ナトリウム８〜１０重量％と精製水９〜１２重量％を１５〜２０分程度混ぜ合わせ攪拌する。その後、豆乳１２〜１５重量％を加え５０分から６０分程度混合して攪拌する。この攪拌した後に、松ポリフェノール（松樹皮エキス）０．０３〜０．０６重量％を溶かし合わせ加える。
【００２５】
松ポリフェノール入りの液体を、固形石鹸を製造する型に流し込み放置して１５〜６５時間程度（好ましくは、２４〜４８時間程度）で熟成させる。そして最後に、３〜７週間（好ましくは、５週間前後）かけて乾燥させ、そして固形化した石鹸を型から取り出し、適宜の大きさにカットして固形豆乳石鹸（ポリフェノール入り）として製造するものである。
【００２６】
次に、本発明の第３実施形態としての、ハーブ入りの固形豆乳石鹸である。まず、該固形豆乳石鹸は、ココナッツオイル等の植物性食用油と、ステアリン酸と、水酸化ナトリウムと、精製水と、豆乳と、ラベンダーとから構成されている。該ラベンダーを入れることで、ハーブ入りとなり、これらの溶液が型に流し込まれて熟成され乾燥されて製造されるものである。前記ラベンダーは、精神の緊張、不安をやわらげるリラックス効果があり、安眠作用もある。にきび、吹き出物、ブツブツなどのトラブル肌の場合、高い殺菌力が効果的である。
【００２７】
さらに、具体的には、ココナッツオイル等の植物性食用油６０〜７０重量％と、ステアリン酸１〜３重量％と、水酸化ナトリウム８〜１０重量％と、精製水９〜１２重量％と、豆乳１２〜１５重量％と、ラベンダー０．２〜０．４重量％とからなり、これらが適宜混合攪拌された溶液が型に流し込められ熟成乾燥され製造されてなることを特徴とする固形豆乳石鹸である。
【００２８】
このような第３実施形態の固形豆乳石鹸（ハーブ入り）の製造法は、前記第１実施形態の製造法と同様に行う。すなわち、ココナッツオイル等の植物性食用油６０〜７０重量％とする。好ましくは、植物性食用油６５重量％前後とし、ステアリン酸１〜３重量％（好ましくは、１．５重量％前後）を７０度以上で２分から５分溶かす。
【００２９】
その後、４０〜５０度までの同温度で水酸化ナトリウム８〜１０重量％と精製水９〜１２重量％を１５〜２０分程度混ぜ合わせ攪拌する。その後、豆乳１２〜１５重量％を加え５０分から６０分程度混合して攪拌する。この攪拌した後に、０．２〜０．４重量％のラベンダーを溶かし合わせ加える。
【００３０】
該ラベンダー入り（ハーブ入り）の液体を、固形石鹸を製造する型に流し込み放置して１５〜６５時間程度（好ましくは、２４〜４８時間程度）で熟成させる。そして最後に、３〜７週間（好ましくは、５週間前後）かけて乾燥させ、そして固形化した石鹸を型から取り出し、適宜の大きさにカットして固形豆乳石鹸（ハーブ入り）として製造するものである。
【００３１】
本発明とは、別の実施形態である。つまり、固形ポリフェノール石鹸である。該固形ポリフェノール石鹸は、ココナッツオイル等の植物性食用油と、ステアリン酸と、水酸化ナトリウムと、精製水と、松ポリフェノール（松樹皮エキス）とから構成されている。これらの溶液が型に流し込まれて熟成させ乾燥させて製造するものである。つまり、本発明の第２実施形態において、精製水と豆乳とのものを、精製水のみにした態様である。
【００３２】
さらに、具体的には、ココナッツオイル等の植物性食用油６０〜７０重量％と、ステアリン酸１〜３重量％と、水酸化ナトリウム８〜１０重量％と、精製水２１〜２７重量％と、松ポリフェノール（松樹皮エキス）０．０３〜０．０６重量％とからなり、これらが適宜混合攪拌された溶液が型に流し込められ熟成乾燥され製造されてなることを特徴とする固形ポリフェノール石鹸である。
【００３３】
固形ポリフェノール石鹸の製造法としては、ココナッツオイル等の植物性食用油６０〜７０重量％とし、該植物性食用油に、ステアリン酸を１〜３重量％（１．３〜２．０重量％前後）を７０度以上で２分から５分溶かす。
【００３４】
その後、４０〜５５度の温度で水酸化ナトリウム８〜１０重量％（好ましくは、８．３〜９．３重量％）と精製水２１〜２７重量％を同温度で１５〜２０分程度混ぜ合わせ攪拌する。この攪拌した後に、松ポリフェノール（松樹皮エキス）０．０３〜０．０６重量％を溶かし合わせ加える。
【００３５】
該松ポリフェノール入りの液体を、固形石鹸を製造する型に流し込み放置して１５〜６５時間程度（好ましくは、２４〜４８時間程度）で熟成させる。そして最後に、３〜７週間（好ましくは、５週間前後）かけて乾燥させ、そして固形化した石鹸を型から取り出し、適宜の大きさにカットして固形豆乳石鹸（ポリフェノール入り）として製造するものである。
【００３６】
このように製造された固形ポリフェノール石鹸は美白効果があり、風呂から出た後も、肌にしっとり感を残す。松ポリフェノールが紫外線から肌を守り、しみ、そばかすを薄くし人によっても異なるが３ヶ月で効果を奏する。アレルギー性皮膚炎に悩まされていた小学生に全身に使用したところ、かゆみが消えその後も使い続けても、かゆみは見られず効果が確認された。
【００３７】
さらに別の実施形態である、固形カメリアポリフェノール石鹸である。該固形カメリアポリフェノール石鹸は、椿油と、ココナッツオイル等の植物性食用油と、ひましオイルと、ステアリン酸と、ハーブ抽出水（ラベンダーとカモマイルから抽出した抽出水）と、水酸化ナトリウムと、ヘナと、松ポリフェノール（松樹皮エキス）とから構成されている。これらの溶液が型に流し込まれて熟成され乾燥されて製造されるものである。前記ハーブ抽出水は、ラベンダーとカモマイルを精製水で抽出したものであって、抗菌、頭皮の鎮静とリラックスができ、痛んだ髪などに良いとのことである。
【００３８】
さらに、具体的には、椿油２０〜５０重量％と、ココナッツオイル等の植物性食用油２５〜４５重量％と、ひましオイル３〜７重量％と、ステアリン酸１〜３重量％と、水酸化ナトリウム８〜１０重量％と、ハーブ抽出水（ラベンダーとカモマイルから抽出した抽出水）２１〜２６重量％と、ヘナ０．１〜１重量％と、松ポリフェノール（松樹皮エキス）０．０３〜０．０６重量％とからなり、これらが適宜混合攪拌された溶液が型に流し込められ熟成乾燥され製造されてなることを特徴とする固形カメリアポリフェノール石鹸である。
【００３９】
前記椿油は、ヤブツバキの種子から摂れる植物油であって、食用や灯用、化粧用、薬用として優れた利点を有した油である。オリーブオイルと似て多くのオレイン酸を含むものである。また、前記ひまし油は、唐胡麻又はヒマと呼ばれる植物の種子を搾った油であって、医療用、化粧用に使われている。リシノール酸という脂肪酸を９０％近く含んでいるために、粘度がとても高いことと水分を引き付けることが大きな利点である。また、保湿力が高い。
【００４０】
また、長年、石油が原料の合成シャンプーを使い髪の毛を細くさせ、多くの添加剤が毛髪を傷め脱毛の原因となり、界面活性剤が頭皮に沈着し、かゆみ、ふけの元と云われているが、椿油の存在により、髪の毛を生き返らせコシと張りを復活させることが実験などにより判った。そこに、ひまし油を加えることにより、頭皮、髪の毛の障害を癒すことも判った。ヘナは天然の染毛剤として愛用されているが、ここでは髪のトリートメント効果として発揮されるものである。
【００４１】
固形カメリアポリフェノール石鹸の製造法としては、椿油２０〜５０重量％に、ココナッツオイル等の植物性食用油２５〜４５重量％として混ぜ合わせる。該植物性食用油に、ステアリン酸を１〜３重量％（１．３〜２．０重量％前後）を７０度以上で２分から５分溶かす。
【００４２】
その後、４０〜５０度の温度で水酸化ナトリウム８〜１０重量％（好ましくは、８．９〜９．３重量％）とハーブ抽出水（ラベンダーとカモマイルから抽出した抽出水）２１〜２６重量％を同温度で混ぜ合わせ攪拌する。この４〜７時間後、ヘナ０．１〜１重量％（好ましくは、０．３〜０．８重量％）と松ポリフェノール（松樹皮エキス）０．０３〜０．０６重量％を溶かし合わせ加える。
【００４３】
ヘナ及び松ポリフェノール入りの液体を、固形石鹸を製造する型に流し込み放置して１５〜６５時間程度（好ましくは、２４〜４８時間程度）で熟成させる。そして最後に、３〜７週間（好ましくは、５週間前後）かけて乾燥させ、そして固形化した石鹸を型から取り出し、適宜の大きさにカットして固形石鹸（固形カメリアポリフェノール石鹸）として製造するものである。
【００４４】
このようにして製造された固形カメリアポリフェノール石鹸は、成人男性が悩んでいたかゆみ、ふけを止め、髪の毛にコシと張りを与え従来の健康な、毛髪を回復させた。アレルギー性皮膚炎でかゆみを訴える子供にも市販されているシャンプーを止め固形カメリアポリフェノール石鹸を使用したところ、頭皮のかゆみが消えたとの報告を受けた。その後、引き続き使用を続けてもかゆみは見られず効果が確認された。特に、固形カメリアポリフェノール石鹸は、シャンプーの役割をなすものである。